(57)【特許請求の範囲】
【請求項１】
波付け方向と直交する方向に円弧状に湾曲させた角波板によって形成されたアーチ状構造物ユニットを、桁方向に互いに連結した角波板製アーチ状構造物の基礎構造において、
前記構造物ユニットの端部が固定されるコンクリート製基礎構造体と、ウェブを上側にし、外側フランジ及び内側フランジを前記基礎構造体の上面に前記基礎構造体に沿って固定された溝形鋼からなる基礎鋼材と、前記基礎鋼材の前記外側フランジに、前記構造物ユニットの外側フランジ間隔と同一間隔をあけて垂直に固定された外側鋼材と、前記基礎鋼材の前記内側フランジに、前記構造物ユニットの内側フランジ間隔と同一間隔をあけて垂直に固定された内側鋼材とからなり、前記基礎鋼材の前記外側フランジと前記内側フランジとの間の間隔は、前記構造物ユニットの前記外側フランジと前記内側フランジとの間の間隔と等しく、前記外側鋼材と前記内側鋼材との間に挿入された前記構造物ユニットの端部は、前記外側鋼材及び前記内側鋼材とに固定されたことを特徴とする、角波板製アーチ状構造物の基礎構造。
【請求項２】
前記外側鋼材及び前記内側鋼材は、共に溝形鋼であることを特徴とする、請求項１記載の、角波板製アーチ状構造物の基礎構造。
【請求項３】
前記内側鋼材は、山形鋼であることを特徴とする、請求項１記載の、角波板製アーチ状構造物の基礎構造。
【請求項４】
前記基礎構造体の上面には、前記基礎鋼材内に連通する凹陥部が形成され、前記凹陥部内及び前記基礎鋼材内には、コンクリート又はモルタルが充填されていることを特徴とする、請求項１から３のうちの何れか１つに記載された、角波板製アーチ状構造物の基礎構造。
【発明の詳細な説明】
【０００１】
【発明の属する技術分野】
この発明は、角波板製アーチ状構造物の基礎構造、特に、組立てた構造物ユニットの基礎構造体への仮置きが容易に行え、しかも、建方調整後、構造物ユニットを基礎構造体に確実に固定することができ、更に、移設が容易に行える、角波板製アーチ状構造物の基礎構造に関するものである。
【０００２】
【従来の技術】
例えば、アーチ状倉庫等の構造物の構築は、図５に示すような断面形状を有する鋼製角波板Ａを、その波付け方向と直交する方向に円弧状に湾曲させることによってアーチ状構造物ユニットを形成し、このようにして形成した構造物ユニットを基礎構造体上に固定し、且つ、桁方向に互いに連結することによって行われていた。
【０００３】
従来、上述したようにして構築されるアーチ状構造物の基礎構造には、次のようなものがあった。
▲１▼  図６に示すように、アーチ状構造物ユニット１の端部に鋼板製接続板２を固定し、接続板２を鋼製基礎構造体３にボルト４によって締結する。以下、この基礎構造を従来技術１という。
▲２▼  図７に示すように、構造物ユニット１を構成する鋼製角波板と重なり合う鋼製角波板の固定部材５の下部をコンクリート製基礎構造体３に埋め込み、固定部材５に構造物ユニット１の端部をボルト４等によって固定する。以下、この基礎構造を従来技術２という。
▲３▼  図８及び図９に示すように、コンクリート製基礎構造体３に、それぞれ溝形鋼からなる外側鋼材６及び内側鋼材７の下部を構造物ユニット１の幅寸法だけ間隔をあけて予め埋め込んで固定しておき、構造物ユニット１を外側鋼材６と内側鋼材７との間に仮置きした後、構造物ユニット１の外側フランジ１Ａを外側鋼材６に、そして、構造物ユニット１の内側フランジ１Ｂを内側鋼材７にそれぞれボルト等によって固定する。以下、この基礎構造を従来技術３という。
【０００４】
【発明が解決しようとする課題】
しかしながら、上述した従来技術１及び２は、次のような問題を有していた。即ち、構造物ユニット１の端部間の幅寸法は、基礎構造体３間の距離より広がっているので、構造物ユニット１の端部をボルト４によって仮止めしないと、構造物ユニット１を基礎構造体３上に仮置きすることができない。この仮止め作業は、構造物ユニット１に広がり力が作用しているために、ボルト４が倒れたり、ねじ部が引っ掛かったりしやすく、簡単に行えない。
【０００５】
従来技術３は、外側鋼材６及び内側鋼材７の下部が基礎構造体３に埋め込まれているので、アーチ状構造物を永久に使用する場合には適するが、移設する場合には適さない。
【０００６】
従って、この発明の目的は、組立てた構造物ユニットの基礎構造体への仮置きが容易に行え、しかも、建方調整後、構造物ユニットを基礎構造体に確実に固定することができ、更に、移設が容易に行える、角波板製アーチ状構造物の基礎構造を提供することにある。
【０００７】
【課題を解決するための手段】
請求項１記載の発明は、波付け方向と直交する方向に円弧状に湾曲させた角波板によって形成されたアーチ状構造物ユニットを、桁方向に互いに連結した角波板製アーチ状構造物の基礎構造において、前記構造物ユニットの端部が固定されるコンクリート製基礎構造体と、ウェブを上側にし、外側フランジ及び内側フランジを前記基礎構造体の上面に前記基礎構造体に沿って固定された溝形鋼からなる基礎鋼材と、前記基礎鋼材の前記外側フランジに、前記構造物ユニットの外側フランジ間隔と同一間隔をあけて垂直に固定された外側鋼材と、前記基礎鋼材の前記内側フランジに、前記構造物ユニットの内側フランジ間隔と同一間隔をあけて垂直に固定された内側鋼材とからなり、前記基礎鋼材の前記外側フランジと前記内側フランジとの間の間隔は、前記構造物ユニットの前記外側フランジと前記内側フランジとの間の間隔と等しく、前記外側鋼材と前記内側鋼材との間に挿入された前記構造物ユニットの端部は、前記外側鋼材及び前記内側鋼材とに固定されたことに特徴を有するものである。
【０００８】
請求項２記載の発明は、前記外側鋼材及び前記内側鋼材は、共に溝形鋼であることに特徴を有するものである。
請求項３記載の発明は、前記内側鋼材は、山形鋼であることに特徴を有するものである。
【０００９】
請求項４記載の発明は、前記基礎構造体の上面には、前記基礎鋼材内に連通する凹陥部が形成され、前記凹陥部内及び前記基礎鋼材内には、コンクリート又はモルタルが充填されていることに特徴を有するものである。
【００１０】
【発明の実施の形態】
次に、この発明の、角波板製アーチ状構造物の基礎構造の一実施態様を、図面を参照しながら説明する。
【００１１】
図１は、請求項１にかかる発明の、角波板製アーチ状構造物の基礎構造を示す部分断面図、図２は、図１のＡ−Ａ線断面図、図３は、請求項３にかかる発明の、角波板製アーチ状構造物の基礎構造を示す部分断面図、図４は、図３のＡ−Ａ線断面図である。
【００１２】
図１から図４において、８は、アーチ状構造物ユニットであり、波付け方向と直交する方向に円弧状に湾曲させた鋼製角波板Ａ（図５参照）によって形成されている。９は、構造物ユニット８の端部が固定されるコンクリート製基礎構造体、１０は、溝形鋼からなる基礎鋼材である。基礎鋼材１０は、外側フランジ１０Ａ及び内側フランジ１０Ｂを基礎構造体９の上面側に向けて基礎構造体９に沿ってアンカーボルト１１によって固定されている。基礎鋼材１０の外側フランジ１０Ａと内側フランジ１０Ｂとの間の間隔は、構造物ユニット８の外側フランジ８Ａと内側フランジ８Ｂとの間の間隔と等しい。
【００１３】
１２は、溝形鋼からなる外側鋼材である。外側鋼材１２は、基礎鋼材１０の外側フランジ１０Ａに、構造物ユニット８の外側フランジ８Ａ間隔と同一間隔をあけて垂直に溶接等によって固定されている。１３は、溝形鋼からなる内側鋼材である。内側鋼材１３は、基礎鋼材１０の内側フランジ１０Ｂに、構造物ユニット８の内側フランジ８Ｂ間隔と同一間隔をあけて垂直に溶接等によって固定されている。
【００１４】
基礎構造体９の上面に当接する部分は、基礎鋼材１０の外側フランジ１０Ａ及び内側フランジ１０Ｂの端面、外側鋼材１２の下面及び内側鋼材１３の下面であり、面接触ではなく線接触に近いので、これらのレベル調整が簡単に行える。
【００１５】
このように構成されている、この発明の、角波板製アーチ状構造物の基礎構造によれば、以下のようにして、アーチ状構造物が構築される。
予め組み立てた構造物ユニット８の端部を外側鋼材１２と内側鋼材１３との間に挿入して、構造物ユニット８を基礎構造体９上に仮置きする。構造物ユニット８の端部は、外側鋼材１２と内側鋼材１３とによって挟まれるので、構造物ユニット８に開きは生じず、構造物ユニット８の仮置きが簡単に行える。
【００１６】
このようにして、構造物ユニット８を基礎構造体９上に仮置きした後、構造物ユニット８の端部と外側鋼材１２及び内側鋼材１３とをボルト１４によって互いに締結する。このようにして、構造物ユニット８を基礎構造体９に外側鋼材１２、内側鋼材１３及び基礎鋼材１０を介して固定し、構造物ユニット８同士を桁方向に互いに連結すれば、アーチ状構造物が構築される。
【００１７】
図３に示すように、内側鋼材１３を山形鋼としても良い。この場合には、内側鋼材１３の水平側フランジ１３Ａをアンカーボルト１５によって基礎構造体９に固定し、内側鋼材１３の垂直側フランジ１３Ｂをボルト１４によって構造物ユニット８の内側フランジ８Ｂに固定する。
【００１８】
基礎鋼材１０を補強するために、基礎鋼材１０の内側にコンクリート又はモルタルを充填しても良く、これには、基礎構造体９の上面に基礎鋼材１０の内側に連通する凹陥部１６を予め形成しておく。そして、構造物ユニット８の端部を外側鋼材１２及び内側鋼材１３に固定した後、凹陥部１６内にコンクリート又はモルタル１７を充填する。凹陥部１６内に充填されたコンクリート又はモルタル１７は、基礎鋼材１０内に回り込んで、基礎鋼材１０を補強する。
【００１９】
このようにして構築されたアーチ状構造物を移設するには、アンカーボルト１１あるいは１５を外せば良い。これによって、基礎構造体９から外側鋼材１２及び内側鋼材１３が基礎鋼材１０と共に離脱可能となるので、アーチ状構造物の移設が容易に行える。
【００２０】
【発明の効果】
以上説明したように、この発明によれば、以下のような有用な効果がもたらされる。
▲１▼  構造物ユニットの端部は、外側鋼材と内側鋼材とによって挟まれるので、構造物ユニットに開きが生じることなく、構造物ユニットの仮置きが容易に行える。
▲２▼  基礎構造体の上面に当接する部分は、基礎鋼材の両フランジの端面、外側、内側鋼材の下面であり、面接触ではなく線接触に近いので、これらのレベル調整が簡単に行える。
▲３▼  外側、内側鋼材が基礎構造体内に埋め込まれていないので、アンカーボルトを外すだけで構造物ユニットの移設が容易に行える。
▲４▼  基礎構造体の上面に凹陥部を形成することによって、補強のために基礎鋼材内にコンクリート又はモルタルを容易に充填することができる。
【図面の簡単な説明】
【図１】請求項１にかかる発明の、角波板製アーチ状構造物の基礎構造を示す部分断面図である。
【図２】図１のＡ−Ａ線断面図である。
【図３】請求項３にかかる発明の、角波板製アーチ状構造物の基礎構造を示す部分断面図である。
【図４】図３のＡ−Ａ線断面図である。
【図５】角波板を示す断面図である。
【図６】従来技術１を示す組立図である。
【図７】従来技術２を示す組立図である。
【図８】従来技術３を示す平面図である。
【図９】従来技術３を示す断面図である。
【符号の説明】
１：構造物ユニット
２：接続板
３：基礎構造体
４：ボルト
５：固定部材
６：外側鋼材
７：内側鋼材
８：構造物ユニット
８Ａ：外側フランジ
８Ｂ：内側フランジ
９：基礎構造体
１０：基礎鋼材
１０Ａ：外側フランジ
１０Ｂ：内側フランジ
１１：アンカーボルト
１２：外側鋼材
１３：内側鋼材
１３Ａ：水平側フランジ
１３Ｂ：垂直側フランジ
１４：ボルト
１５：アンカーボルト
１６：凹陥部
１７：コンクリート又はモルタル
【図１】
0003763951.tif 000002
【図２】
0003763951.tif 000003
【図３】
0003763951.tif 000004
【図４】
0003763951.tif 000005
【図５】
0003763951.tif 000006
【図６】
0003763951.tif 000007
【図７】
0003763951.tif 000008
【図８】
0003763951.tif 000009
【図９】
0003763951.tif 000010